(57)【特許請求の範囲】
【請求項１】
ユーザー装置であって、
複数のプリコーディングマトリックスを具備するコードブックが記憶されており、且つ前記複数のプリコーディングマトリックスには、アンテナに対応する０要素を有するプリコーディングマトリックスが含まれているメモリユニットと、
前記メモリユニットに記憶されているコードブックを利用して、使用すべきプリコーディングマトリックスを選択するプリコーディングマトリックス選択ユニットと、
前記プリコーディングマトリックス選択ユニットが選択したプリコーディングマトリックスのインジケータを報告する報告ユニットと、を含み、
１つのプリコーディングマトリックス中において、１つのリモート無線ヘッドのアンテナに対応するプリコーディングマトリックスのすべての要素が０であるか、或いはすべての要素が０でない、ユーザー装置。
【請求項２】
前記ユーザー装置は、
前記ユーザー装置にサービスを提供する各アンテナからの信号の信号強度を測定する信号強度測定ユニットと、
前記信号強度測定ユニットが測定した信号強度により、前記ユーザー装置に対応するオフすべきであるアンテナが存在するかを判断するアンテナ開閉判断ユニットと、をさらに含み、
前記アンテナ開閉判断ユニットがユーザー装置に対応するアンテナをオフすべきであると判断する場合、前記プリコーディングマトリックス選択ユニットは、前記コードブック中のアンテナに対応する０要素を含んでいるプリコーディングマトリックス集合中で、使用すべきプリコーディングマトリックスを選択する、請求項１に記載のユーザー装置。
【請求項３】
前記ユーザー装置は、
前記ユーザー装置にサービスを提供する各アンテナからの信号の信号強度を測定する信号強度測定ユニットと、
前記信号強度測定ユニットが測定した信号強度により、前記ユーザー装置に対応するオフすべきであるアンテナが存在するかを判断するアンテナ開閉判断ユニットと、
前記アンテナ開閉判断ユニットの判断結果により、前記ユーザー装置に対応するオフすべきであるリモート無線ヘッドが存在するかを判断するリモート無線ヘッド開閉判断ユニットと、をさらに含み、
前記リモート無線ヘッド開閉判断ユニットがユーザー装置に対応するリモート無線ヘッドをオフすべきであると判断する場合、前記プリコーディングマトリックス選択ユニットは、前記コードブック中のアンテナに対応する０要素を含んでいるプリコーディングマトリックス集合中で、使用すべきプリコーディングマトリックスを選択する、請求項１に記載のユーザー装置。
【請求項４】
前記コードブックは、２つ或いはそれ以上のマトリックス集合を含み、且つ前記２つ或いはそれ以上のマトリックス集合中において、異なるマトリックス集合中のマトリックスを乗ずることにより前記プリコーディングマトリックスを得、
前記プリコーディングマトリックスの各マトリックス集合中のマトリックスのインジケータにより、前記プリコーディングマトリックスのインジケータが構成される、請求項１に記載のユーザー装置。
【請求項５】
基地局であって、
コードブックが記憶されており、且つ前記コードブックには、アンテナに対応する０要素を具備するプリコーディングマトリックスが含まれているメモリユニットと、
前記ユーザー装置からのプリコーディングマトリックスインジケータを受信するプリコーディングマトリックスインジケータ受信ユニットと、
前記コードブック中において、プリコーディングマトリックスインジケータに対応するプリコーディングマトリックスを選出すると共に、選択したプリコーディングマトリックス中にアンテナに対応する０要素が含まれているかを判断する０要素判断ユニットと、
前記０要素判断ユニットの判断結果により、前記ユーザー装置に対応するオフすべきであるアンテナ又はリモート無線ヘッドが存在するかを判断するアンテナ／ＲＲＨ開閉判断ユニットと、を含み、
１つのプリコーディングマトリックス中において、１つのリモート無線ヘッドのアンテナに対応するプリコーディングマトリックスのすべての要素が０であるか、或いはすべての要素が０でない、基地局。
【請求項６】
ユーザー装置用リモート無線ヘッドの選択方法であって、
メモリユニットに記憶されているコードブックを利用して使用すべきプリコーディングマトリックスを選択するステップと、
選択されたプリコーディングマトリックスのインジケータを報告する報告ステップと、を含み、
前記コードブックには、複数のプリコーディングマトリックスが含まれており、前記複数のプリコーディングマトリックスには、アンテナに対応する０要素を具備するプリコーディングマトリックスが含まれており、
１つのプリコーディングマトリックス中において、１つのリモート無線ヘッドのアンテナに対応するプリコーディングマトリックスのすべての要素が０であるか、或いはすべての要素が０でない、ユーザー装置用リモート無線ヘッドの選択方法。
【請求項７】
前記ユーザー装置にサービスを提供する各アンテナからの信号の信号強度を測定するステップと、
測定して得た信号強度により、前記ユーザー装置に対応するオフすべきであるアンテナが存在するかを判断するステップと、をさらに含み、
ユーザー装置に対応するリモート無線ヘッドをオフすべきであると判断する場合、前記コードブック中のアンテナに対応する０要素を含んでいるプリコーディングマトリックス集合中で、使用すべきプリコーディングマトリックスを選択する、請求項６に記載のユーザー装置用リモート無線ヘッドの選択方法。
【請求項８】
前記ユーザー装置用リモート無線ヘッドの選択方法は、
前記ユーザー装置にサービスを提供する各アンテナからの信号の信号強度を測定するステップと、
測定して得た信号強度により、前記ユーザー装置に対応するオフすべきであるアンテナが存在するかを判断するステップと、
前記ユーザー装置に対応するオフすべきであるアンテナが存在するかと判断した判断結果により、前記ユーザー装置に対応するオフすべきであるリモート無線ヘッドが存在するかを判断するステップと、
前記ユーザー装置に対応するオフすべきであるアンテナが存在すると判断する場合、前記コードブック中のアンテナに対応する０要素を含んでいるプリコーディングマトリックス集合中で、使用すべきプリコーディングマトリックスを選択するステップと、をさらに含む請求項６に記載のユーザー装置用リモート無線ヘッドの選択方法。
【請求項９】
前記コードブックは、２つ或いはそれ以上のマトリックス集合を含み、且つ前記２つ或いはそれ以上のマトリックス集合中において、異なるマトリックス集合中のマトリックスを乗ずることにより前記プリコーディングマトリックスを得、
前記プリコーディングマトリックスの各マトリックス集合中のマトリックスのインジケータにより、前記プリコーディングマトリックスのインジケータが構成される請求項６に記載のユーザー装置用リモート無線ヘッドの選択方法。
【請求項１０】
基地局で使用するリモート無線ヘッドの選択方法であって、
前記ユーザー装置からのプリコーディングマトリックスインジケータを受信するステップと、
アンテナに対応する０要素を具備するプリコーディングマトリックスが含まれているコードブック中において、プリコーディングマトリックスインジケータに対応するプリコーディングマトリックスを選出すると共に、前記プリコーディングマトリックス中にアンテナに対応する０要素が含まれているかを判断するステップと、
前記プリコーディングマトリックス中にアンテナに対応する０要素が含まれているかを判断した判断結果により、前記ユーザー装置に対応するオフすべきであるアンテナ又はリモート無線ヘッドが存在するかを判断するステップと、を含み、
１つのプリコーディングマトリックス中において、１つのリモート無線ヘッドのアンテナに対応するプリコーディングマトリックスのすべての要素が０であるか、或いはすべての要素が０でない、基地局で使用するリモート無線ヘッドの選択方法。
【請求項１１】
プリコーディングマトリックスであって、
１つのリモート無線ヘッドのアンテナに対応するプリコーディングマトリックスのすべての要素が０であるか、或いはすべての要素が０でない、プリコーディングマトリックス。
【請求項１２】
通信用コードブックであって、
前記コードブックは請求項１１に記載のプリコーディングマトリックスを含んでいる、通信用コードブック。
【請求項１３】
コンピュータプログラムであって、
コンピュータに、請求項６〜１０の任意の１項に記載の方法を実行させるための、コンピュータプログラム。
【請求項１４】
コンピュータ読み取り可能な記憶媒体であって、
請求項１３に記載のコンピュータプログラムを記憶している、コンピュータ読み取り可能な記憶媒体。
【発明の詳細な説明】
【技術分野】
【０００１】
本発明は、無線通信技術に関し、特にリモート無線ヘッドを有する無線通信システムに関する。
【背景技術】
【０００２】
エルティーイーアドバンス（ＬＴＥ−Ａ、Long  term  Evolution  Advanced）のヘテロジニアスネットワーク（Heterogeneous  Network）システムは、マクロセル（Macro  Cell）、フェムトセル（Femto  Cell）、ピコセル（Pico  Cell）、リモート無線ヘッド（ＲＲＨ、Remote  Radio  Head）、リレー（Relay）から構成されている。前記リモート無線ヘッド（以下、ＲＲＨと略称）が信号処理能力を有していないので、基地局による信号を転送する。即ち、前記ＲＲＨは、基地局による信号を無線電波の形式により無差別に伝送するので、ＲＲＨの送信パワーが基地局の送信パワーより小さい。
【０００３】
図１は、基地局とＲＲＨの分布を示す図である。図１に示す通り、基地局はセルの中心に位置し、基地局の送信範囲内には７つのＲＲＨが設けられている。これらのＲＲＨは、均一にセルの辺縁位置に分布し、これらのＲＲＨと基地局との間は、オプティカルケーブルにより連結されている。これらのＲＲＨは、基地局が送信した信号を転送することができる。一般的な技術において、基地局は、通常ＵＥとＲＲＨが置かれる位置により、ユーザー設備にサービスを提供するＲＲＨを決定し、測定すべきであるアンテナをユーザー設備に通知する。前述した技術を利用する場合、基地局のアンテナを複数のＲＲＨに分布させることができるので、基地局が使用するアンテナ数量を減らすと共に、アンテナが測定すべきであるアンテナ数量を減らすことができる。ユーザー設備ＵＥは、基地局とＲＲＨからの信号を受信するか、或いは複数のＲＲＨからの信号を受信する時、受信したこれらの信号を合併する。このような合併は、マクロダイバーシチに相当する。即ち、信号を合併することにより、ユーザー側の信号強度を向上させると共に、システムの性能を向上させる。
【０００４】
本発明を創造する過程において、本発明の発明者は、従来の技術が有している以下の問題を見つけた。即ち、ユーザー設備が複数の設備（ＲＲＨ又は基地局である、以下サービス設備と言う）のサービスを受ける時、前記ユーザー設備ＵＥ側において、時にはサービス設備の信号のパワーが極めて小さくなるか、或いはあるサービス設備の信号が他のサービス設備の信号より遥かに小さくなることもある。この場合、パワーが極めて小さい信号、又はあるサービス設備の信号より遥かに小さいサービス設備の信号は、ユーザー設備ＵＥの受信機能に影響を与えるか、或いは干渉を起こしてユーザー設備ＵＥの性能を低下させることができる。且つ、ＲＲＨ側において、前記ユーザー設備ＵＥの信号を伝送する時、一定のパワーを消耗しなければならない。
【０００５】
また、ユーザー設備がＲＲＨ辺縁にある時、ＲＲＨの選択を実現するためには、ユーザーが各ＲＲＨの信号パワーを測定しなければならない。各ＲＲＨと基地局が同様なセルに属することがあるので、このような場合、セル固有の参照信号（Cell  specific  Reference  signal、ＣＲＳ）に基づいてＲＳＲＰを測定する従来の方式を実施することができる。即ち、各ＲＲＨを区分することができる方法により、基地局がＲＲＨ選択を実施しなければならない。
【０００６】
前述した部分において背景技術を説明した目的は、本発明の技術的方案を詳細、完璧に説明して、本技術分野の技術者に本発明を理解させることにある。本発明の背景技術において、前述した技術方案を説明したことにより、本技術分野の技術者が前記技術方案を周知していると理解してはいけない。
【発明の概要】
【発明が解決しようとする課題】
【０００７】
本発明の目的は、従来の技術の問題点を解決又は改善することができるユーザー設備、基地局、リモート無線ヘッドの選択方法を提供することにある。
【課題を解決するための手段】
【０００８】
本発明の実施方式において、ユーザー設備を提供する。前記ユーザー設備は、アンテナに対応する０要素を具備するプリコーディングマトリックスが含まれているコードブックを記憶するメモリユニットと、前記メモリユニットに記憶されているコードブックを利用して、使用すべきプリコーディングマトリックスを選択するプリコーディングマトリックス選択ユニットと、前記プリコーディングマトリックス選択ユニットが選択したプリコーディングマトリックスのインジケータを報告する報告ユニットと、を含む。
【０００９】
本発明の他の実施方式において、基地局を提供する。前記基地局は、コードブックが記憶されており、且つ前記コードブックには、アンテナに対応する０要素であるプリコーディングマトリックス要素を具備するプリコーディングマトリックスが含まれているメモリユニットと、前記携帯端末からのプリコーディングマトリックスインジケータを受信するプリコーディングマトリックスインジケータ受信ユニットと、前記コードブック中において、プリコーディングマトリックスインジケータに対応するプリコーディングマトリックスを選出すると共に、選択したプリコーディングマトリックス中にアンテナに対応する０要素が含まれているかを判断する０要素判断ユニットと、前記０要素判断ユニットの判断結果により、前記ユーザー設備に対応するオフすべきであるアンテナ又はリモート無線ヘッドが存在するかを判断するアンテナ／ＲＲＨ開閉判断ユニットと、を含む。
【００１０】
本発明の他の実施方式において、ユーザー設備用リモート無線ヘッドを提供する。前記ユーザー設備用リモート無線ヘッドの選択方法は、メモリユニットに記憶されており、且つアンテナに対応する０要素を具備するプリコーディングマトリックスが含まれているコードブックにより、使用すべきプリコーディングマトリックスを選択するステップと、選択されたプリコーディングマトリックスのインジケータを報告する報告ユニットと、を含む。
【００１１】
本発明の他の実施方式において、基地局で使用するリモート無線ヘッドの選択方法を提供する。前記方法は、前記携帯端末からのプリコーディングマトリックスインジケータを受信するステップと、アンテナに対応する０要素を具備するプリコーディングマトリックスが含まれているコードブック中において、プリコーディングマトリックスインジケータに対応するプリコーディングマトリックスを選出すると共に、前記プリコーディングマトリックス中にアンテナに対応する０要素が含まれているかを判断するステップと、前記プリコーディングマトリックス中にアンテナに対応する０要素が含まれているかを判断した判断結果により、前記ユーザー設備に対応するオフすべきであるアンテナ又はリモート無線ヘッドが存在するかを判断するステップと、を含む。
【００１２】
本発明の他の実施方式において、プリコーディングマトリックスを提供する。前記プリコーディングマトリックスは、所定のアンテナに対応する０要素を有する。
【００１３】
本発明の他の実施方式において、通信用コードブックを提供する。前記通信用コードブックは、所定のアンテナに対応する０要素のプリコーディングマトリックスを含む。
【００１４】
本発明の他の実施方式において、ロジック装置読取可能なプログラムを提供する。前記ロジック装置が前記プログラムを実行する時、前記プログラムは、前記ロジック装置が本発明の方法を実施するか、或いは前記ロジック装置が本発明のプリコーディングマトリックス選択ユニット又は報告ユニットの機能を実現するか、或いは前記ロジック装置が本発明の０要素判断ユニット又はアンテナ／ＲＲＨ開閉判断ユニットの機能を実現するようにする。
【００１５】
本発明の他の実施方式において、ロジック装置読取可能な記憶媒体を提供する。前記記憶媒体には、前記ロジック装置読取可能なプログラムが記憶されている。
【発明の効果】
【００１６】
本発明の技術方案により、ＲＲＨを選択すると共に、システムの性能を向上させることができる。
【図面の簡単な説明】
【００１７】
以下、図面を参照しながら本発明の実施例を詳細に説明する。これにより、前述した本発明の目的、特徴及び発明の効果をより容易に理解することができる。図面中の部品は、部品のサイズの比率により描いたものではなく、本発明の技術的原理を示すために描いたものである。本発明のある部分を詳細に説明するため、図面の所定の部分を拡大して示すことができる。即ち、図面の所定の部分を、本発明の実施例に係る事例的な装置中の他の部品より大きく示すことができる。図面において、同様又は関連する技術特徴又は部品は、同様又は関連する図面符号により示す。
【図１】通信システム中の基地局とＲＲＨの分布を示す図である。
【図２】本発明の実施方式に係るユーザー設備の一例として用いる携帯電話を示す図である。
【図３】本発明の第一実施方式に係るユーザー設備を示すフレーム図である。
【図４】アンテナをオフすべきであるかを判断する方法を示す流れ図である。
【図５】本発明の第四実施方式に係るユーザー設備を示すフレーム図である。
【図６】本発明の一実施方式に係る基地局を示すフレーム図である。
【図７】本発明の一実施方式に係るリモート無線ヘッドの選択方法を示す図である。
【図８】本発明の他の実施方式に係るリモート無線ヘッドの選択方法を示す図である。
【図９】本発明の他の実施方式に係るリモート無線ヘッドの選択方法を示す図である。
【図１０】本発明の他の実施方式に係るリモート無線ヘッドの選択方法を示す図である。
【発明を実施するための形態】
【００１８】
以下、図面を参照しながら本発明の実施例を説明する。本発明の１つの図面又は一種の実施方式に記載されている要素又は特徴は、他の１つ又は複数の図面又は実施例に記載されている要素又は特徴に組み合わせて使用することができる。本発明の説明を簡単にするため、図面と明細書中において、本発明との関連性が低いか、或いは本技術領域の普通の技術者が周知している装置とステップに対する説明と記述を省略する。
【００１９】
本明細書と図面において、本発明の特定実施方式を詳細に説明することにより、採用することができる本発明の原理を示す。しかし、本発明の技術的範囲がそれらに限定されるものではない。発明の要旨を逸脱しない範囲内の設計の変更等があってもこの発明に含まれる。
【００２０】
本文の「含む／有する／具備する」などのような用語は、特徴、要素、ステップ又はモジュールの存在を意味するが、他の１つ又は複数の特徴、要素、ステップ又はモジュールがさらに存在するか、さらに追加することを限定しない。
【００２１】
図２は、本発明の実施方式に係るユーザー設備の一例として用いる携帯電話を示す図である。図２に示す通り、携帯電話１０は、展開状態と折畳み状態との間で回転できる筐体１５を有する折畳み式携帯電話である。図２において、筐体１５が展開状態になっている。携帯電話１０は、折畳み式携帯電話だけではなく、「ストレート式携帯電話」、又は「スライド式携帯電話」であることもできる。
【００２２】
携帯電話１０は、表示装置１４を含んでいる。表示装置１４は、電話状態、時間、電話番号、連絡人情報、各メニューなどのような情報をユーザーに表示して、ユーザーが携帯電話１０の各種の機能を有効に利用するようにする。表示装置１４は、携帯電話１０が受信した情報と／又は携帯電話１０のメモリ（図示せず）から検出した情報を表示することもできる。表示装置１４は、イメージ、動画、又は他の画像（例えば写真、携帯テレビ、ゲーム中の動画など）をユーザーに表示する。
【００２３】
携帯電話１０のキーボード１８は、ユーザーに様々な入力方法を提供する。例えば、キーボード１８は、字母数字などのような情報（例えば、電話番号、連絡人情報、メモ帳、本文等）を入力するための字母数字ボタンを含む。また、キーボード１８は、様々な特定機能ボタン１７をさらに含む。例えば、携帯電話を起動するか或いは電話に出る「送信ボタン」、操作を終えるか或いは電話を切る「終了ボタン」である。特定機能ボタンは、表示装置１４に表示されているメニューをガイドするためのニューガイドボタン、メニュー選択ボタンをさらに含むことができる。例えば、設備指定ボタンと／又はニューガイドボタンによりユーザーからの方向的な指示を受けることができる。また、表示装置１４とキーボード１８の組合せによりソフトキーボードの機能を実現することができる。携帯電話１０は、各機能を実現するためのアンテナ、ミニ制御装置、受話器５０、送話器５２などをさらに含む。
【００２４】
第一実施方式
図３は、本発明の第一実施方式に係るユーザー設備を示すフレーム図である。図３に示す通り、本発明の第一実施方式に係るユーザー設備は、信号強度測定ユニット３０１と、アンテナ開閉判断ユニット３０２と、ＰＭＩ選択ユニット３０３と、報告ユニット３０４と、メモリユニット３０５とを含む。
【００２５】
信号強度測定ユニット３０１は、直接に測定するか、或いはユーザー設備の所定ユニットに知らせられることにより、基地局が指示したアンテナの信号強度を測定する。
【００２６】
従来の技術の通り、本発明のユーザー設備も、基地局の指示により測定するアンテナを選択する。例えば、図１において、右側のＵＥ１は、２つのＲＲＨのアンテナが送信した信号を測定し、左側のＵＥ２は、２つのＲＲＨのアンテナが送信した信号と基地局のアンテナが送信した信号を測定する。
【００２７】
信号強度は、信号のパワー、又は信号のレンジなどにより表示ことができる。
【００２８】
アンテナ開閉判断ユニット３０２は、ある１つのアンテナをオフすべきであるかを判断する。以下、図１において、右側のＵＥ１が２つのＲＲＨの４つのアンテナの信号を測定することを例として説明する。本発明は、このような場合だけではなく、より多いか或いはより少ないアンテナ、又はより多いＲＲＨを測定する場合にも適用することができる。
【００２９】
図４は、アンテナをオフすべきであるかを判断する方法を示す流れ図である。
【００３０】
図４に示す通り、まず、ステップＳ４０１において、信号強度測定ユニット３０１が測定方法などによりある１つのアンテナ（注目アンテナ）からの信号の信号強度を測定する。次に、ステップＳ４０２において、前記信号強度が所定の閾値より小さいかを判断する。前記信号強度が所定の閾値より小さい（ステップＳ４０２のＹＥＳである）場合、ステップＳ４０３に移る。即ち、前記ユーザー設備に対応するアンテナをオフし（説明を簡単にするため、「前記ユーザー設備に対応するアンテナをオフする」ことを「アンテナをオフする」と略称する）、ステップを終える。前記信号強度が所定の閾値より大きい（ステップＳ４０２のＮＯである）場合、ステップＳ４０４に移る。即ち、前記アンテナと比較を行ったことがないアンテナ（比較アンテナと言う）の信号強度を測定する。次に、ステップＳ４０５において、前記比較アンテナの信号強度と前記注目アンテナの信号強度との間の差又は比率が所定の閾値より大きいかを判断する。前記差又は比率が所定の閾値より大きい（ステップＳ４０５のＹＥＳである）ことは、注目アンテナの信号強度が小さいことを説明するので、ステップＳ４０３に移って、オフすべきであるアンテナを検出し、ステップを終える。前記差又は比率が所定の閾値より大きくない（ステップＳ４０５のＮＯである）場合、ステップＳ４０６に移って、まだ比較を行っていない比較アンテナがあるかを判断する。まだ比較を行わない比較アンテナがある（ステップＳ４０６のＹＥＳである）場合、ステップＳ４０４に戻って、前記アンテナと比較を行わないアンテナ（比較アンテナと言う）の信号強度を測定し、且つ次のステップを続ける。まだ比較を行わない比較アンテナがない（ステップＳ４０６のＮＯである）場合、次のステップＳ４０７を行う。即ち、前記ユーザー設備に対応するアンテナをオフしてはいけないことを決定し、ステップを終える。
【００３１】
図４において、ステップＳ４０４とＳ４０１は、１つのステップで実現することができる。図４において、本発明の好ましい実施方式を示したが、本発明の技術的範囲がこの実施方式にのみ限定されるものではない。
【００３２】
図４に示す実施方式において、１つのアンテナをオフすべきであるかを判断する方法の流れのみを示したが、本技術領域の技術者が周知している通り、前記判断方法の流れは、他のアンテナをオフすべきであるかを判断することにも適用する。この場合、オフすべきであるアンテナだと判断されるアンテナは、比較アンテナとしなくてもよい。
【００３３】
本発明の実施方式において、アンテナ開閉判断ユニットは、オフすべきである所定の数量（例えば、一個）のアンテナが存在すると判断する場合、処理を停止することができる。他の実施方式において、すべてのアンテナを判断することができる。
【００３４】
ＰＭＩ選択ユニット３０３は、アンテナ開閉判断ユニットの判断結果により、オフすべきであるアンテナを示すプリコーディングマトリックスインジケータ（ＰＭＩ）を選択する。報告ユニット３０４は、選択したＰＭＩを基地局に報告する。
【００３５】
２つのＲＲＨの４つのアンテナの信号強度を測定する時、第一ＲＲＴのアンテナがＴ１、Ｔ２であり、第二ＲＲＴのアンテナがＴ３、Ｔ４であり、且つアンテナＴ１に対応するプリコーディングマトリックス（ＰＭ）の要素がＰ１であり、アンテナＴ２に対応するプリコーディングマトリックス（ＰＭ）の要素がＰ２であり、アンテナＴ３に対応するプリコーディングマトリックス（ＰＭ）の要素がＰ３であり、アンテナＴ４に対応するプリコーディングマトリックス（ＰＭ）の要素がＰ４であると仮定する場合、選択したプリコーディングマトリックスＰＭは、以下のような形式を有する。即ち、
【数１】
0005783325.tif 000002
【００３６】
アンテナＴ３及びＴ４がオフすべきであると判断する時、以下のような形式を有するプリコーディングマトリックスを選択することができる。即ち、
【数２】
0005783325.tif 000003
【００３７】
前述した通り、本発明の実施方式において、オフすべきであるアンテナに対応するプリコーディングマトリックスの要素を０に設置することにより、オフすべきであるアンテナを指定する。
【００３８】
本発明の実施方式に係るプリコーディングマトリックスにおいて、前記プリコーディングマトリックスは、所定のアンテナに対応する０要素を含んでいる。また、本発明は、コードブックに関する。前記コードブックは、以下のようなプリコーディングマトリックスを含む。即ち、所定のアンテナに対応する０要素を有するプリコーディングマトリックスである。
【００３９】
本発明のコードブックは、広義に理解しなければならない。本発明の一実施方式に係るコードブックは、一級プリコーディングマトリックス（即ち、このようなプリコーディングマトリックス自体は、直接に使用することができるプリコーディングマトリックス）のみを含む。本発明の他の実施方式に係るコードブックは、２つ或いはそれ以上のマトリックス集合（１つのマトリックス集合ごとを一級と言う）を含み、且つ異なるマトリックス集合中のマトリックスを乗ずること（各級マトリックスを乗ずるとも言う）によりプリコーディングマトリックスを得る。この場合、得たプリコーディングマトリックスの各級マトリックス集合中のマトリックスの番号がプリコーディングマトリックスインジケータ（ＰＭＩ）を構成する。各級マトリックスを乗じて得たプリコーディングマトリックス中に含まれており、且つアンテナに対応する０要素を具備するプリコーディングマトリックスを通過する場合、アンテナに対応する０要素を具備するプリコーディングマトリックスが前記コードブック中に含まれていることを意味する。従って、前述した二種のコードブックは、両方ともアンテナに対応する０要素を具備するプリコーディングマトリックスを含むコードブックであることができる。且つ、前述した二種のコードブックは、両方ともプリコーディングマトリックスを具備するコードブックを具備するコードブックだと言うことができる。
【００４０】
前記コードブックが二級又はより多い級のマトリックスを具備する場合、一級のマトリックスが固定モジュラスコードブックマトリックス（即ち、マトリックス中の各要素のモジュラス値がいずれも１である複素数）であり、他のマトリックスが変換マトリックスである。前記変換マトリックスは、左乗算マトリックスであるか、或いは右乗算マトリックスであるか、或いは点乗積であるか、或いはクロネッカー積（Kronecker  product）である。コードブックに二級マトリックスが含まれており、且つ左乗算マトリックスを例とする時、マトリックス集合Ｗ１が第一級であり、マトリックス集合Ｗ２が第二級であると仮定し、且つＬＴＥシステム中に４つのアンテナコードブックがある場合、本発明の実施方式に係るアンテナに対応する０要素を具備するプリコーディングマトリックスを含むコードブックには、以下のようなＷ１中のマトリックスｗ１とＷ２中のマトリックスｗ２とが存在する。
【数３】
0005783325.tif 000004
【００４１】
公式（１）を満たすｗ１は、非固定モジュラスコードブックであることができる。例えば、
【数４】
0005783325.tif 000005
である。
【００４２】
この場合、ユーザーがｗ１とｗ２のプリコーディングマトリックスインジケータ番号（ＰＭＩ値）をフィードバックしなければならない。
【００４３】
非固定モジュラスコードブックを採用する場合、本発明の一実施方式において、ｗ１をアンテナが選択するか、或いはＲＲＨが選択する指示にすることができる。基地局は、得たｗ１によりユーザーのアンテナ／ＲＲＨ選択結果を知ることができる。
【００４４】
本発明の第一実施方式において、プリコーディングマトリックスがアンテナに対応する０要素を有するかどうかにより、コードブックを第一コードブックと第二コードブックを含む二種に分けることができる。第一コードブックは、以下のようなプリコーディングマトリックス、即ちアンテナに対応する０要素を含まないプリコーディングマトリックスのみを含み、第二コードブックは、以下のようなプリコーディングマトリックス、即ちアンテナに対応する０要素を有するプリコーディングマトリックスのみを含む。
【００４５】
コードブック（第一コードブックと第二コードブック）は、メモリユニット３０５に記憶されている。基地局とユーザー設備中にも同様なコードブックが記憶されている。第二コードブックは、４つのアンテナに対応する四個アンテナのコードブックと、６つのアンテナに対応する六個アンテナのコードブックに分けることができる。
【００４６】
アンテナ開閉判断ユニット３０２がオフすべきであるアンテナが存在することを検出するか、或いはオフすべきである複数のアンテナが存在することを検出する場合、ＰＭＩ選択ユニット３０３は、第二コードブック中でのみプリコーディングマトリックスを選択する。報告ユニット３０４は、ＰＭＩ選択ユニット３０３が選択したプリコーディングマトリックスのインジケータを送信する。
【００４７】
第二実施方式
本発明の第一実施方式において、１つのＲＲＨの一部分のアンテナだけをオフする（例えば、ＲＲＨ１のアンテナＰ１のみをオフする）が、このような処理方法は利点がほとんどない。本発明の第二実施方式において、このような問題が発生することを避けるため、コードブックのプリコーディングマトリックス中の１つのプリコーディングマトリックスにおいて、１つのＲＲＨのアンテナに対応するプリコーディングマトリックスのすべての要素を０にするか、或いはすべての要素を０にしない。従って、［Ｐ１、０、Ｐ３、０］のようなプリコーディングマトリックスが現れない。
【００４８】
第三実施方式
本発明の第二実施方式において、ＲＲＨ開閉判断ユニットをさらに設けることができる。ＲＲＨ開閉判断ユニットは、ＲＲＨに対して判断を行う。例えば、前記ＲＲＨのすべてのアンテナをオフすべきである時のみ、前記ＲＲＨをオフすることを判断するか、或いは前記ＲＲＨのアンテナ中において所定の比率のアンテナをオフすべきである時、前記ＲＲＨをオフすることを判断する。ＲＲＨ開閉判断ユニットがオフすべきであるＲＲＨが存在すると判断する時のみ、ＰＭＩ選択ユニット３０３が第二コードブック中でプリコーディングマトリックスを選択する。
【００４９】
第四実施方式
前述した本発明の実施方式において、ユーザー設備が信号強度を測定すると共に、オフすべきであるアンテナが存在するかを判断する。オフすべきであるアンテナが存在すると判断する時、所定のコードブック（第二コードブック）中でプリコーディングマトリックスを選択する。他の実施方式において、コードブックを分類せず、ＰＭＩを選択する過程において、所有するプリコーディングマトリックスを使用して選択を行うことができる。このような実施方式により、ユーザー設備の処理負担を減らすことができ、ユーザー設備に対する改造工程が一番少ない。且つ、アンテナに対応する０要素を有するプリコーディングマトリックスがコードブックに含まれているので、ＲＲＨを選択する目的を実現することができる。
【００５０】
図５は、本発明の第四実施方式に係るユーザー設備を示すフレーム図である。
【００５１】
図５に示す通り、本発明の第四実施方式に係るユーザー設備と図３に示すユーザー設備の相違点は、信号強度測定ユニット３０１とアンテナ開閉判断ユニット３０２を省略したことにある。また、図３のＰＭＩ選択ユニット３０３と異なって、本発明の第四実施方式のＰＭＩ選択ユニット３０３は、直接に性能指標とＰＭＩ選択用チャンネルパラメーターによりＰＭＩ選択を行う。ＰＭＩ選択に使用するこれらのＰＭＩ選択用チャンネルパラメーター（例えば、チャンネル反応）を測定しなければならない。しかし、このようなパラメーターを選択することは、本発明の技術との関連性が低いので、ここでは再び説明しない。
【００５２】
前述した本発明の実施方式において、アンテナに対応する０要素を有するプリコーディングマトリックスが存在するコードブック中でＰＭＩを選択する。即ち、オフすべきであるアンテナが存在する時、前記アンテナに対応する０要素を有するプリコーディングマトリックスを選択するので、ＲＲＨに対して選択を行う目的を実現することができる。
【００５３】
同様に、本発明の実施方式においても、１つのプリコーディングマトリックス中で、１つのＲＲＨのアンテナに対応するプリコーディングマトリックスのすべての要素を０にするか、或いはすべての要素を０にしない。
【００５４】
図６は、本発明の一実施方式に係る基地局を示すフレーム図である。図６に示す通り、本発明の一実施方式に係る基地局は、ＰＭＩ受信ユニット６０１と、０要素判断ユニット６０２と、アンテナ／ＲＲＨ開閉判断ユニット６０３と、メモリユニット６０４とを含む。
【００５５】
メモリユニット６０４には、ユーザー設備に記憶されているコードブックと同様なコードブックが記憶されている。本発明の一実施方式のコードブックには、アンテナに対応する０要素を有するプリコーディングマトリックスが含まれている。本発明の他の実施方式の１つのプリコーディングマトリックス中において、１つのＲＲＨのアンテナに対応するプリコーディングマトリックスのすべての要素が０になっているか、或いはすべての要素が０になっていない。
【００５６】
基地局に記憶されているコードブックにおいて、コードブック中のプリコーディングマトリックスを分類する必要がない。即ち、第一コードブックと第二コードブックに分類する必要がない。第一コードブックと第二コードブックに分類する必要がある時、分類してもよい。ＰＭＩ受信ユニット６０１は、ユーザー設備からＰＭＩを受信する（直接に受信するか、或いはＲＲＨにより受信する）。０要素判断ユニット６０２は、受信したＰＭＩにより、メモリユニット６０４に記憶されているコードブック中で所定のプリコーディングマトリックスを選択すると共に、選択したプリコーディングマトリックスがアンテナに対応する０要素を含んでいるかを判断する。アンテナ／ＲＲＨ開閉判断ユニット６０３は、ＰＭＩを送信したユーザー設備に対応するアンテナ又はＲＲＨをオフすべきであるかを判断する。即ち、ユーザー設備から送信されたＰＭＩにより、ＰＭＩを送信したユーザー設備に対応するアンテナ又はＲＲＨをオフすべきであるかを判断する。本発明の実施方式において、プリコーディングマトリックスがアンテナに対応する０要素を有する場合、前記ユーザー設備に対応するアンテナ又はＲＲＨをオフする。本発明の他の実施方式において、他の要素により前記ユーザー設備に対応するアンテナをオフすることを決定することもできるが、プリコーディングマトリックスがアンテナに対応する０要素を含んでいるかどうかという事実を考慮しなければならない。
【００５７】
図７は、本発明の一実施方式に係るリモート無線ヘッドの選択方法を示す図である。図７に示す通り、本発明の一実施方式に係るリモート無線ヘッドの選択方法において、まずは、ステップＳ７０１において、予め記憶したコードブックを使用し、且つ性能指標（例えば、スループットの最大化、又は誤り率の最小化）とチャンネルパラメーターにより、使用すべきプリコーディングマトリックスを決定する。本発明の実施方式の１つのプリコーディングマトリックスにおいて、１つのＲＲＨのアンテナに対応するすべてのプリコーディングマトリックスが０になるか、或いはすべてのプリコーディングマトリックスが０にならない。次に、ステップＳ７０２において、選択したプリコーディングマトリックスを指示するインジケータ（ＰＭＩ）を送信する。
【００５８】
図８は、本発明の他の実施方式に係るリモート無線ヘッドの選択方法を示す図である。図８に示す通り、まず、ステップＳ８０１において、測定などにより所定のアンテナからの信号の信号強度を測定する。次に、ステップＳ８０２において、オフすべきであるアンテナが存在するかを判断する。ステップＳ８０２において、オフすべきであるアンテナが存在すると判断する場合、ステップＳ８０３において、アンテナに対応する０要素を具備するプリコーディングマトリックス要素が含まれているプリコーディングマトリックス中でのみプリコーディングマトリックスを選択する。且つ、ステップＳ８０４において、ステップＳ８０３において選択したプリコーディングマトリックスのインジケータを送信する。
【００５９】
図９は、本発明の他の実施方式に係るリモート無線ヘッドの選択方法を示す図である。図９に示す通り、まず、ステップＳ９０１において、測定などのような方法よりアンテナの信号強度を測定する。次に、ステップＳ９０２において、オフすべきであるアンテナが存在するかを判断する。次に、ステップＳ９０３において、ステップＳ９０２の判断結果によりオフすべきであるＲＲＨが存在するかを判断する。ステップＳ９０３において、オフすべきであるＲＲＨが存在すると判断する場合、ステップＳ９０４において、アンテナに対応する０要素を具備するプリコーディングマトリックス要素が含まれているプリコーディングマトリックス中でのみプリコーディングマトリックスを選択する。且つ、ステップＳ９０５において、ステップＳ９０４において選択したプリコーディングマトリックスのインジケータを送信する。
【００６０】
本発明の他の実施方式において、１つのプリコーディングマトリックスにおいて、１つのＲＲＨのアンテナに対応する所定のプリコーディングマトリックスが０になるか、或いはすべてのプリコーディングマトリックスが０にならない。
【００６１】
図８及び図９に示す方法は、図７に示す方法の一種の実施方式と見なすことができる。図７〜図９に示す方法は、いずれもユーザー設備に応用することができる。
【００６２】
図１０は、本発明の他の実施方式に係るリモート無線ヘッドの選択方法を示す図である。図１０に示す通り、まず、ステップＳ１００１において、ユーザー設備からのＰＭＩを受信する。次に、ステップＳ１００２において、前記ＰＭＩによりコードブック中で所定のプリコーディングマトリックスを選択する。前記コードブックには、アンテナに対応する０要素を具備するプリコーディングマトリックス要素が含まれているプリコーディングマトリックスと、アンテナに対応する０要素を具備するプリコーディングマトリックス要素が含まれていないプリコーディングマトリックスとを具備する。ステップＳ１００３において、選択したプリコーディングマトリックスにアンテナに対応する０要素が存在するかを判断する。最後、ステップＳ１００４において、前記ユーザー設備に対応するあるアンテナ又はＲＲＨをオフすべきであるかを判断する。
【００６３】
本発明において、ユーザー設備に対応するアンテナ又はＲＲＨをオフすると言うことは、前記アンテナ又はＲＲＨがあるユーザー設備にデータを伝送しないことを意味する。ところが、物理的に電気を切るか、或いはスイッチを切ることにより、アンテナ又はＲＲＨをオフすることを意味しない。
【００６４】
本発明の実施方式において、方法／ステップを説明することにより、装置／ユニットに対する理解を深化するか、装置／ユニットを説明することにより、方法／ステップに対する理解を深化することができる。
【００６５】
前述した本発明の装置と方法は、ハードウェアにより実現するか、或いはハードウェアとソフトウェアとの組合せにより実現することができる。本発明は、以下のようなロジック装置読取可能なプログラムに関する。即ち、前記ロジック装置が前記プログラムを実行する時、前記プログラムは、前記ロジック装置が前述した装置又は構成部品の機能を実現するようにするか、或いは前記ロジック装置が前述した方法又はステップを実現するようにする。前記ロジック装置は、例えばプログラマブルロジック装置、マイクロ処理装置、コンピュータに使用される処理装置などであることができる。本発明は、前記プログラムを記憶する記憶媒体、例えば、ハードディスク、磁気ディスク、ライトディスク、ＤＶＤ、flash、光磁気ディスク、メモリカード、メモリースティックなどにも関する。
【００６６】
前述した本発明の実施方式において、実施方式に記載と／又は公開されている特徴は、同様又は類似する方式により、他の１つ又は複数の実施方式に使用するか、或いは他の実施方式の特徴と組み合わせて使用するか、或いは他の実施方式の特徴の代わりに使用することができる。
【００６７】
以上、これらの発明の実施方式を図面により詳述してきたが、実施方式はこの発明の例示にしか過ぎないものであるため、この発明は実施方式の構成にのみ限定されるものではなく、この発明の要旨を逸脱しない範囲の設計の変更等があってもこの発明に含まれる。
【符号の説明】
【００６８】
１０  携帯電話
１４  表示装置
１５  筐体
１７  機能ボタン
１８  キーボード
５０  受話器
５２  送話器
３０１  信号強度測定ユニット
３０２  アンテナ開閉判断ユニット
３０３  ＰＭＩ選択ユニット
３０４  報告ユニット
３０５  メモリユニット
６０１  ＰＭＩ受信ユニット
６０２  ０要素判断ユニット
６０３  アンテナ／ＲＲＨ開閉判断ユニット
６０４  メモリユニット
【図１】
0005783325.tif 000006
【図２】
0005783325.tif 000007
【図３】
0005783325.tif 000008
【図４】
0005783325.tif 000009
【図５】
0005783325.tif 000010
【図６】
0005783325.tif 000011
【図７】
0005783325.tif 000012
【図８】
0005783325.tif 000013
【図９】
0005783325.tif 000014
【図１０】
0005783325.tif 000015